(57)【要約】【課題】一つの表示部で通常モードと省電力モードを切り替えられる印刷装置を提供する。【解決手段】表示部の表示領域全てを使って情報を表示させる通常表示モードと、表示部の表示領域の一部の電気信号の供給を止め、電気信号の供給を止めていない表示領域に情報を表示させる省電力モードとを切り替える電力制御手段を備える。これにより、表示領域の一部の電源を落とし、残りの表示領域に情報を表示させることが可能になる。省電力モードのための専用の表示部を設ける必要がない。【選択図】図８
2007253571.tif 000002
【特許請求の範囲】
【請求項１】
表示領域への画像表示を電気信号を用いて制御する表示部と、
前記表示部の通常表示モードと、前記表示領域の一部への電気信号の供給を抑制し、電気信号の供給を抑制していない表示領域への画像表示を制御する省電力モードを切り替え制御することにより、前記表示部の消費電力を制御する電力制御手段と、
を備えることを特徴とする印刷装置。
【請求項２】
前記表示領域は、複数の表示媒体が連結されて構成されており、前記表示部は、前記省電力モードにおいて、前記表示媒体単位で電気信号の供給を抑制する請求項１記載の印刷装置。
【請求項３】
前記表示部は、前記通常表示モードにおいて、前記複数の表示媒体にわたって表示制御する画像の縮小画像を、前記省電力モードにおいて電気信号の供給を抑制していない表示媒体に表示制御する請求項２記載の印刷装置。
【請求項４】
前記表示部は、前記通常表示モードにおいて、前記複数の表示媒体それぞれに表示制御する画像それぞれの縮小画像を、前記省電力モードにおいて電気信号の供給を抑制していない表示領域に表示制御する請求項２記載の印刷装置。
【請求項５】
前記表示部はバックライトを備えた液晶表示装置であり、前記電力制御手段は、前記電気信号の供給を止めていない表示領域のバックライトが光らないように制御する請求項１ないし４のいずれか１項に記載の印刷装置。
【発明の詳細な説明】
【技術分野】
【０００１】
本発明は印刷装置に関するものである。
【背景技術】
【０００２】
ＦＡＸやコピー機等の印刷装置には、操作キーや表示部が設けられており、ユーザは操作キーを使って操作し、その操作状態を表示部で認識する。近年、表示部の表示を省電力モードにする印刷装置が開発されている。例えば下記特許文献１には、メイン表示部とサブ表示部を備え、省電力モードではメイン表示部の電源を落とし、消費電力の小さいサブ表示部に情報を表示する電子機器が開示されている。
【特許文献１】特開２００５−１５３２７４号公報
【０００３】
また、受信したＦＡＸデータを表示部に表示することで、印刷を行うことなくＦＡＸ内容を確認し、印刷にかかる用紙・トナー・インクの消費を節約したいという利用者の要望や、印刷前に印刷対象の画像を表示部に表示させ、間違った印刷をしないよう確認したいという利用者の要望にこたえるための、大型で高解像度なカラー表示できる表示部が望まれている。
【０００４】
表示部にはＬＣＤ（Liquid Cristal Display）が使用されることが一般的に行われているが、ＬＣＤは、通常２枚の対向する基板の間に液晶が挟持され、この液晶に選択的に電圧が印加されることで画像表示が行われる。
【０００５】
一般的にカラーＬＣＤの方がモノクロＬＣＤよりも消費電力が大きく、また、大型で高解像度なＬＣＤの方が小型で低解像度のＬＣＤよりも消費電力が大きい。すなわち利用者の要望にこたえ、大型で高解像度なカラー表示できる表示部を設けることでＦＡＸやコピー機等の印刷装置の消費電力は多大なものになるため、環境への影響や利用者の料金負担などへの影響が懸念される。
【０００６】
電流が流されることで発光するＬＥＤ（Light Emitting Diode）を利用した表示部であっても、また、ガラス基板に蒸着されたジアミン類や硫化亜鉛などの発光体が電圧を印加されることで発光するＥＬ（electroluminescence）を利用した表示部であっても、さらには対向するガラスの間に封入されたヘリウムやネオンなどのガスに電流を流すことで発光するプラズマディスプレイを利用した表示部であっても、大型化、カラー化にともなって消費電力が増大するという共通の課題を持っている。
【発明の開示】
【発明が解決しようとする課題】
【０００７】
しかし上記特許文献１では、通常モードでは使用されないサブ表示部を設ける必要がある。また使用者は、省電力モードになったら今まで見ていたメイン表示部とは異なるサブ表示部を見なければならないという手間が生じる。
【０００８】
本発明は上述のような事情を背景になされたもので、特に、一つの表示部で通常モードと省電力モードを切り替えられる印刷装置を提供することを課題とする。
【課題を解決するための手段および発明の効果】
【０００９】
請求項１記載の発明は、
表示領域への画像表示を電気信号を用いて制御する表示部と、
前記表示部の通常表示モードと、前記表示領域の一部への電気信号の供給を抑制し、電気信号の供給を抑制していない表示領域への画像表示を制御する省電力モードを切り替え制御することにより、前記表示部の消費電力を制御する電力制御手段と、
を備えることを特徴とする印刷装置である。
【００１０】
上記発明によると、表示領域ごとに電力制御できるので、表示部に情報を表示したまま省電力を図ることができる。また、省電力モード用の表示部を別途用意する必要がない。
【００１１】
請求項２記載の発明は、
前記表示領域は、複数の表示媒体が連結されて構成されており、前記表示部は、前記省電力モードにおいて、前記表示媒体単位で電気信号の供給を抑制する印刷装置である。
【００１２】
上記発明によると、表示領域は、複数の表示媒体が連結されて構成され、その表示媒体単位で電気信号の供給が抑制される。そのため、表示領域の一部の電気信号の供給を抑制し、他の表示領域を使って情報を表示できる。使用者は、省電力モードに移行した場合でも、別の表示画面を見る必要がない。
【００１３】
請求項３記載の発明は、
前記表示部は、前記通常表示モードにおいて、前記複数の表示媒体にわたって表示制御する画像の縮小画像を、前記省電力モードにおいて電気信号の供給を抑制していない表示媒体に表示制御する印刷装置である。
【００１４】
上記発明によると、通常表示モードでは、複数の表示媒体にわたって画像を表示制御し、省電力モードではその画像の縮小画像を表示部の一部に表示する。そのため、省電力モードに移行した時に、元々表示されていた情報をそのまま見ることができる。
【００１５】
請求項４記載の発明は、
前記表示部は、前記通常表示モードにおいて、前記複数の表示媒体それぞれに表示制御する画像それぞれの縮小画像を、前記省電力モードにおいて電気信号の供給を抑制していない表示領域に表示制御する印刷装置である。
【００１６】
上記発明によると、通常表示モードでは、複数の表示媒体にそれぞれ別の情報を表示しており、省電力モードではその複数の情報の縮小画像を一部の表示領域に表示する。そのため省電力モードに移行した時に、通常表示モードで表示されていた複数の情報を一度に全て見ることができる。
【００１７】
請求項５記載の発明は、
前記表示部はバックライトを備えた液晶表示装置であり、前記電力制御手段は、前記電気信号の供給を止めていない表示領域のバックライトが光らないように制御する印刷装置である。
【００１８】
上記発明によると、液晶表示装置のバックライトが光らないように制御するため、消費電力を少なくすることができる。
【発明を実施するための最良の形態】
【００１９】
以下、適宜図面を参照して本発明の実施形態について説明する。なお、以下の実施形態は本発明を具体化した一例にすぎず、本発明の要旨を変更しない範囲で、実施形態を適宜変更できることは言うまでもない。
【００２０】
図１は本発明の実施形態に係る印刷装置の一例である複合機１の外観構成を示す斜視図であり、図２は原稿カバー８が開けられた状態の複合機１の外観構成を示す斜視図である。図示するように、本複合機１は、下部に設けられたプリンタ部２と、上部に設けられたスキャナ部３と、スキャナ部３の正面側に設けられた操作パネル４とを一体的に備えたＭＦＤ（Multi Function Device）であり、プリンタ機能、スキャナ機能、コピー機能及びファクシミリ機能を有する。
【００２１】
複合機１は、主に不図示のコンピュータと接続されて、該コンピュータから送信された画像データや文書データに基づいて、記録用紙(被記録媒体)に画像や文書を記録するものである。さらに、複合機１は、デジタルカメラ等の外部機器と接続されてデジタルカメラから出力される画像データを記録用紙に記録したり、メモリカード等の各種記憶媒体を装填して、該記憶媒体に記憶された画像データ等を記録用紙に記録することが可能である。なお、言うまでもないが、本複合機１は、記録用紙だけに限らず、ＯＨＰ用の透明フィルムシートや布などにも画像を記録することが可能である。
【００２２】
スキャナ部３は、ＦＢＳ（Flatbed Scanner）として機能する原稿読取台６に対して、自動原稿搬送機構（ＡＤＦ：Auto Document Feeder、以下「ＡＤＦ」という。）７を備えた原稿カバー８が、背面側の蝶番１１(図２参照)を介して開閉自在に取り付けられてなる。図２に示すように、原稿読取台６の上面にはプラテンガラス１２が配設されており、原稿読取台６の内部には、図示しない画像読取ユニットが内蔵されている。
【００２３】
プラテンガラス１２は、縦幅より横幅が長い平面視で横長の長方形に形成されている。プラテンガラス１２は、平面視で縦幅はレターサイズ用紙の短辺に合う長さにされ、横幅はＡ４サイズ用紙の長辺に合う長さにされている。そのため、レターサイズ用紙もＡ４サイズ用紙も、両方とも画像読取ができるようになっている。
【００２４】
原稿読取台６の上面は大きく開口されており、その開口部にプラテンガラス１２が嵌め込まれている。原稿読取台６の内部には、上記画像読取ユニットの移動スペースや、画像読取ユニット或いはそれを支持する部材および駆動させる機構などを配設するスペースが確保されているため、原稿読取台６の上面はプラテンガラス１２よりも大きく形成されているが、原稿読取台６は、プラテンガラス１２と平面視で概ね相似形に形成されている。即ち、原稿読取台６は、プラテンガラス１２と同様に、平面視で横方向に長く且つ所定高さの直方体に形成されている。
【００２５】
このように構成されたスキャナ部３をＦＢＳとして使用する場合は、原稿カバー８を開いてプラテンガラス１２上に原稿を載置し、その後、原稿カバー８を閉じて当該原稿を固定する。そして、読取開始指令が入力されると、上記画像読取ユニットがプラテンガラス１２の裏面に沿って走査される。これにより、ＦＢＳによる原稿の画像読取りが行われる。
【００２６】
上記画像読取ユニットは、複合機１の奥行き方向を主走査方向とするラインイメージセンサを備えたものであり、光源を発光させて原稿に光を照射し、原稿からの反射光をレンズにより光電変換素子に導き、光電変換素子が反射光強度に応じた電気信号を出力することによって画像を読み取る。ラインイメージセンサとしては、密着型のＣＩＳ（Contact Image Sensor）、或いは、縮小光学系のＣＣＤ（Charge Coupled Device）や、ＣＭＯＳ（Complementary Metal-Oxide Semiconductor：相補型金属酸化膜半導体）などを適用することができる。なお、画像読取ユニットやスキャナ部３の内部構成の構成は本発明に直接関係がないので、ここでは詳細な説明は省略する。
【００２７】
ＡＤＦ７は、原稿トレイ９から原稿排出トレイ１０へ原稿搬送路を通じて原稿を搬送するものである。ＡＤＦ７による原稿の搬送過程において、原稿が原稿読取台６上の読取面１３を通過され、該読取面１３の下方に待機する上記画像読取ユニットによって該原稿の画像が読み取られる。このようなＡＤＦ７による画像読み取りは、原稿カバー８が原稿読取台６に対して閉じられた状態で行われる。なお、本発明においてＡＤＦ７は任意の構成である。したがって、ＡＤＦ７の詳細な説明については省略する。
【００２８】
プリンタ部２は、スキャナ部３で読み取られた画像データ或いは外部から入力された画像データに基づいて、選択的にインク滴を吐出することによって、記録用紙上に画像を記録する所謂インクジェット方式の画像記録装置（インクジェット記録装置）である。このプリンタ部２は、上述したように、スキャナ部３の下方に配設されている。スキャナ部３とプリンタ部２は、それらの背面が同一面となるように位置決めされているため、複合機１の背面は凸凹のない平坦形状となっている。なお、言うまでもないが、上記インクジェット方式はプリンタ部２による画像記録方式の単なる一例であり、電子写真方式や熱転写方式などの種々の画像記録方式を採用することができるのはもちろんである。
【００２９】
複合機１の正面側、換言すれば、プリンタ部２の正面側には開口５が形成されている。この開口５内に給紙トレイ１４(被記録媒体収容部に相当)及び排紙トレイ１５が設けられている。給紙トレイ１４と排紙トレイ１５は上下二段となるように配設されており、上段に排紙トレイ１５が設けられ、その下方に給紙トレイ１４が設けられている。給紙トレイ１４は、長方形の記録用紙を平面視で縦向きに収容するものである。給紙トレイ１４は、レターサイズ用紙とＡ４サイズ用紙の両方が使用できるように、横幅はレターサイズ用紙の短辺に合わせてあり、縦幅はＡ４サイズ用紙の長辺に合わせてある。
【００３０】
プリンタ部２の正面側の端面１７は、上述したように原稿読取台６が横長の直方体に形成されているため、スキャナ部３の正面側の端面１８から所定幅だけ正面側に突出している。以下、このように正面側に突出したプリンタ部２の正面側の端部を突出部１６と称する。なお、プリンタ部２の横幅はスキャナ部３の横幅に合わせて形成されている。従って、複合機１は平面視で略正方形をなしている。
【００３１】
上述したように、原稿読取台６はレターサイズの原稿を横向きに載置可能なサイズに形成され、給紙トレイ１４は記録用紙を縦向きに載置可能なサイズに形成されているため、上記突出部１６の突出幅は、Ａ４サイズの長辺からレターサイズの短辺を差し引いた幅に概ね設定される。従って、突出部１６の上方には、プリンタ部２の横幅がスキャナ部３の横幅に合わせて形成されていることもあって、横長の直方体の空きスペースが生まれる。なお、後段で詳述するが、本複合機１の操作パネル４は当該空きスペースに配設される。
【００３２】
プリンタ部２には、給紙トレイ１４の奥側から上方へ延びた後に正面側へＵ字状に湾曲して排紙トレイ１５に連結される用紙搬送路が設けられている。給紙トレイ１４に収容された記録紙は、その短辺を先頭にして用紙搬送路に送り出され、Ｕターン搬送されることによって用紙搬送路中に設けられた画像記録位置に案内される。そして、該画像記録位置で、上記インクジェット記録装置によって画像が記録用紙に記録される。画像記録後の記録用紙は排紙トレイ１５に排出される。
【００３３】
複合機１の正面側には、操作パネル４が設けられている。操作パネル４は、突出部１６の上方の空きスペースに適合するよう、図１および図２に示す如く横長形状に形成されている。換言すれば、操作パネル４は、その縦幅が、スキャナ部３の縦幅からプリンタ部２の縦幅を減じた長さ(空きスペースの縦幅)に収まる寸法に形成されている。操作パネル４は、プリンタ部２やスキャナ部３を操作するためのものであり、各種操作キー４０と液晶表示部（ＬＣＤ：Liquid Crystal Display）４１(表示部に相当)とを具備する。使用者は、操作パネル４を用いて、所望の指令を入力することができる。複合機１に所定の指令が入力されると、その入力された情報に基づいて該複合機１の動作が制御部２０によって制御される。操作パネル４の具体的な構成については後段で詳述する。なお、複合機１は、操作パネル４から入力された指令のほか、コンピュータに接続されて該コンピュータからプリンタドライバやスキャナドライバ等を介して送信される指令に基づいて動作するようにシステム構成されている。
【００３４】
プリンタ部２の上記開口５の上側には、接続パネル７０が設けられている。この接続パネル７０には、その左端側にＵＳＢ端子７１が配設されている。ＵＳＢ端子７１は、外部機器とＵＳＢ接続することにより該外部機器と本複合機１とを通信可能に接続するコネクタ端子である。また、接続パネル７０の右端側にはスロット部７２が配設されている。スロット部７２はカード型メモリを装填可能な複数のカードスロットが設けられている。カードスロットにカード型メモリが装填され、該装填されたカード側メモリから画像データが後述の制御部２０により読み出されると、その読み出された画像データや該画像データに関する情報が制御部２０によって液晶表示部４１に表示される。或いは、選択された任意の画像がプリンタ部２において記録用紙に記録される。
【００３５】
以下、図３のブロック図を参照しながら、上記複合機１の動作を制御する制御部２０の概略構成について説明する。ここに図３は、複合機１の制御部２０の概略構成を示すブロック図である。制御部２０は、プリンタ部２、スキャナ部３及び操作パネル４を含む複合機１の動作を統括的に制御するものである。制御部２０は、図に示すように、ＣＰＵ（Central Processing Unit）２１、ＲＯＭ（Read Only Memory）２２、ＲＡＭ（Random Access Memory）２３、ＥＥＰＲＯＭ（Electrically Erasable and Programmable ROM）２４を主とするマイクロコンピュータとして構成されており、バス２５を介してＡＳＩＣ（Application Specific Integrated Circuit）２６に接続されている。
【００３６】
図５に示すようにＲＯＭ２２には、電力制御プログラム２２ａ、判断プログラム２２ｂ、縮小表示プログラム２２ｃ、ＦＡＸ制御プログラム２２ｄ、コピー制御プログラム２２ｅ、スキャナ制御プログラム２２ｆなどの各種プログラムが記憶されている。電力制御プログラム２２ａは、液晶表示部４１の通常表示モードと省電力モードとを切り替え制御することにより、液晶表示部４１の消費電力を制御するプログラムである。判断プログラム２２ｂは、液晶表示部４１が通常表示モードの時、複数の表示媒体にわたって１つの情報を表示しているか否かを判断するプログラムである。また、縮小表示プログラム２２ｃは、液晶表示部４１が通常表示モードの時に表示していた情報を縮小して、省電力モード時に縮小表示するプログラムである。これら電力制御プログラム２２ａ、判断プログラム２２ｂ、縮小表示プログラム２２ｃをＣＰＵ２１がＲＡＭ２３にロードして実行することにより、電力制御手段、判断手段、縮小表示手段が実現される。なお、ＦＡＸ制御プログラム２２ｄ、コピー制御プログラム２２ｅ、スキャナ制御プログラム２２ｆは、ＦＡＸ機能、コピー機能、スキャナ機能をそれぞれ制御するためのプログラムである。
【００３７】
図３に戻る。ＡＳＩＣ２６は、ＣＰＵ２１からの指令に従い、プリンタ部２、スキャナ部３、操作パネル４、及びスロット部７２の動作制御を行う。プリンタ部２、スキャナ部３及びスロット部７２は、詳細な説明は省略するが、制御部２０により、プリンタ部２を駆動するモータやインクジェット記録ヘッド、スキャナ部３のＡＤＦ７を駆動するモータや画像読取ユニット等の動作が制御される。
【００３８】
ＡＳＩＣ２６には、複合機１に所望の指令を入力する操作キー４０を制御するパネルゲートアレイ２７が接続されている。パネルゲートアレイ２７は、操作キー４０の押下を検出して、所定のコード信号を出力する。このキーコードは、複数の操作キー４０に対応して割り当てられている。ＣＰＵ２１は、パネルゲートアレイ２７から所定のキーコードを受信すると、所定のキー処理テーブルに従って、実行すべき制御処理を行う。キー処理テーブルは、キーコードと制御処理とを対応させてテーブル化したものであり、例えば、ＲＯＭ２２に記憶されている。
【００３９】
ＡＳＩＣ２６には、液晶表示部４１の画面表示を制御するＬＣＤコントローラ２８が接続されている。ＬＣＤコントローラ２８は、ＣＰＵ２１の指令に基づいて、液晶表示部４１にプリンタ部２又はスキャナ部３の動作に関する情報や、読取画像或いは入力画像を画面に表示させる。
【００４０】
ＣＰＵ２１は液晶表示部４１に表示させる表示画面を示す情報を図示しない表示メモリに記憶させる。表示メモリはＲＧＢ３原色にそれぞれ対応している。
【００４１】
液晶表示部４１は、ＲＧＢ３原色それぞれに対応した、図示しないマトリクススイッチを備えている。このマトリクススイッチに電荷が加えられることによりマトリクススイッチの直下の液晶分子が光を透過する方向に揃うため、ＲＧＢのいずれかの色が液晶表示部４１に表示されることとなる。このマトリクススイッチ一つ一つが、ＲＧＢそれぞれの１ドットに対応する。
【００４２】
また、表示メモリの１ビットはマトリクススイッチ一つに対応している。すなわち表示メモリ１ビットあたり、ＲＧＢいずれかの１ドットに対応していることになる。
【００４３】
ＬＣＤコントローラ２８は、図示しない表示メモリに記憶されたＲＧＢの値を一定周期で操作し、読み取っている。そして値が「１」であるビットに対応するマトリクススイッチに電圧を印加している。そのため、液晶表示部４１にはＣＰＵ２１が作成した情報に基づいた表示画面が表示されることになる。
【００４４】
以下、複合機１の操作パネル４について詳細に説明する。図１および図２に示すように、操作パネル４は、プリンタ部２の突出部１６の上方であって、スキャナ部３の正面側に設けられている。この操作パネル４は、各種操作キー４０と液晶表示部４１とを具備する。
【００４５】
図４は、操作パネル４の構成を示す部分平面図である。同図に示すように、液晶表示部４１は、平面視が横長矩形であり、その縦幅（縦寸法）が操作パネル４の奥行き寸法より若干小さいものの、該操作パネル４の奥行き寸法と略同寸法に形成されている。したがって、液晶表示部４１の奥側及び手前側には、操作パネル４に操作キー４０を配置するためのスペースがない。換言すれば、液晶表示部４１は、操作パネル４に配置可能な最大の縦幅に大型化されている。
【００４６】
液晶表示部４１は、図４に示すように、操作パネル４の幅方向の中央に配置されている。液晶表示部４１の幅寸法は、操作パネル４の幅寸法に比べると十分に小さい。したがって、液晶表示部４１の側方には、操作パネル４に操作キー４０を配置するためのスペースが確保されている。液晶表示部４１を操作パネル４の中央に配置することにより、液晶表示部４１の左右両側に操作キー４０を配置することができる。これにより、操作キー４０の配置に対する液晶表示部４１の位置のバランスがよくなる。
【００４７】
操作キー４０は、液晶表示部４１の周囲に設けられた操作キー４０Ａ、操作パネル４の右端側に設けられた操作キー４０Ｂ、操作パネル４の左端側に設けられた操作キー４０Ｃの３つに大別される。操作キー４０Ａは、液晶表示部４１の周囲であって、左右の両側方に液晶表示部４１の側縁に沿って各々一列に配置されている。このように、液晶表示部４１の左右両側に操作キー４０Ａを配置することにより、液晶表示部４１の側方のスペースを有効利用できる。
【００４８】
図６に示すように、液晶表示部４１の表示領域は、２つの表示媒体（第一表示媒体４１ａ，第二表示媒体４１ｂ）が連結して構成されている。表示媒体４１ａ，４１ｂは液晶表示装置である。そして、表示メモリには第一表示媒体４１ａに対応した領域と第二表示媒体４１ｂに対応した領域とがあり、ＣＰＵ２１は第一表示媒体４１ａに表示すべき表示画像を示す情報は第一表示媒体４１ａに対応する領域に記憶させ、第二表示媒体４１ｂに表示すべき表示画像を示す情報は第二表示媒体４１ｂに対応する領域に記憶させるように構成されている。また、ＬＣＤコントローラ２８には、表示メモリ上の第一表示媒体４１ａに対応した領域を走査し第一表示媒体４１ａへの電圧印加を制御する第一制御部２８ａと、表示メモリ上の第二表示媒体４１ｂに対応した領域を走査し第二表示媒体４１ｂへの電圧印加を制御する第二制御部２８ｂとから構成されている。
【００４９】
また、ＣＰＵ２１は第一制御部２８ａ、第二制御部２８ｂそれぞれにバス２５およびＡＳＩＣ２６を通じて指令を行うことが可能であり、第一制御部２８ａ、第二制御部２８ｂはそれぞれ、この指令に従って第一表示媒体４１ａ、第二表示媒体４１ｂ全体への電力供給を遮断することができるように構成されている。このようにして、第一表示媒体４１ａ，第二表示媒体４１ｂでそれぞれ別々に電力制御が可能になっている。また、２つの表示媒体４１ａ，４１ｂにそれぞれ異なる情報を表示させたり、２つの表示媒体４１ａ，４１ｂにわたって一つの情報を表示させたりできるように構成されている。
【００５０】
また、ＣＰＵ２１は第一制御部２８ａ、第二制御部２８ｂへの電力供給を遮断することも可能であるように構成されている。
【００５１】
図７は通常表示モードの例である。図７（Ａ）では、第一表示媒体４１ａに日時を表示し、第二表示媒体４１ｂに伝言を表示している。この伝言は、上述のコンピュータから入力されたものであっても、ＭＯＤＥＭ３２を通じて入力されたものであっても、操作キー４０から入力したものであってもよい。また、図７（Ｂ）では、液晶表示部４１の全ての表示領域を使って、１つの情報（伝言）を表示している。図７（Ｃ）では、第一表示媒体４１ａに日時を表示し、第二表示媒体４１ｂには何も表示していない。
【００５２】
図７（Ａ）〜図７（Ｃ）の表示から、省電力モードに移行した後の表示を図８（Ａ）〜図８（Ｃ）にそれぞれ示す。省電力モードでは、第二表示媒体４１ｂの電圧印加を抑制し（電源を落とし）、第一表示媒体４１ａのみを使って情報表示をする。
【００５３】
図８（Ａ）では、第一表示媒体４１ａに表示されていた日時の情報と、第二表示領域に表示されていた伝言情報とを縮小して、第一表示媒体４１ａに縮小情報５０を表示している。図８（Ｂ）では、液晶表示部４１の全面に表示されていた伝言情報を縮小して、第一表示媒体４１ａに縮小情報５１を表示している。また、図８（Ｃ）では、何も表示していなかった第二表示媒体４１ｂの電圧印加を抑制し、第一表示媒体４１ａのみ表示している。
【００５４】
次に図１０のフローチャートを用いて、ＲＯＭ２２に記憶されている電力制御プログラム２２ａ、判断プログラム２２ｂ、縮小表示プログラム２２ｃの動作について説明する。先ず、ステップＳ１で待機時間のリセットを行い、Ｓ２で待機状態時間の計測を開始する。そしてＳ３で、ユーザによってキー入力がされたか否かを判断する。ここでＹｅｓの場合はＳ４に移り、Ｎｏの場合はＳ５に移る。Ｓ５では予め設定された時間よりも長く待機しているか否かを判断し、Ｙｅｓの場合はＳ６に移って省電力モードの処理を行い、Ｎｏの場合はＳ３に戻る。
【００５５】
Ｓ１〜Ｓ６の処理をすることで、一定時間キー入力がされなかった場合は省電力モードに切り替わり、一定時間内にキー入力がされた場合は、そのキー入力に応じた処理がなされる。
【００５６】
次に図１１のフローチャートを用いて、省電力モードの処理について説明する。まずＳ７で、ＲＡＭ２３内の設定メモリに記憶された省電力モードに移行するか否かの設定情報を確認する。省電力モードに移行する設定がされている場合はＳ８に移り、続いて、設定メモリに記憶されたワイド表示にするか否かを示す設定情報を確認する。ワイド表示とは、図７（Ｂ）のように、液晶表示部４１の表示領域の全てを使う表示形式である。すなわちＳ８では、図７（Ｂ）のように表示領域全体に１つの情報を表示するよう設定されているか、又は図７（Ａ）のように第一表示媒体４１ａと第二表示媒体４１ｂとで異なる情報を表示するよう設定されているかを判断している。Ｓ８でＹｅｓ（ワイド表示である）と判断された場合はＳ９に移り、Ｎｏと判断された場合はＳ１０に移る。
【００５７】
Ｓ１０では、ＲＡＭ２３内の伝言メモリが空か否かを確認する。Ｙｅｓ、すなわち、伝言メモリが空である場合は図７（Ｃ）のように伝言表示がされていない状態となる。また、Ｎｏ、すなわち、伝言メモリが空でない場合は図７（Ａ）のように伝言表示がされている状態となる。Ｙｅｓの場合はＳ１１に移り、Ｎｏの場合はＳ９に移る。
【００５８】
このようにＳ８，Ｓ１０の処理によって、ワイド表示（図７（Ｂ））の場合や、ワイド表示でなく第二表示媒体４１ｂに伝言表示がされている場合（図７（Ａ））にはＳ９に移り、ワイド表示でなく第二表示媒体４１Ｂに伝言表示がされていない場合（図７（Ｃ））はＳ１１に移る。
【００５９】
Ｓ９では、１／２画面の表示およびフラグセットと、１／２画面の電圧印加を抑制する（電源を落とす）処理がされる。例えば図７（Ｂ）のワイド表示の場合、全体の画像の縮小画像を第一表示媒体４１ａに表示し、第二表示媒体４１ｂの電圧印加を抑制する処理がされる。すなわち、ＣＰＵ２１が、表示画像を示す情報を縮小して作成しなおし、表示メモリの第一表示媒体４１ａに対応する領域に記憶させる。また、表示メモリ上の第二表示媒体４１ｂに対応する領域の値を全て０にする処理が行われる。これにより、第二制御部２８ｂが第二表示媒体４１ｂに電圧を印加しなくなる。また、これにより、第一表示媒体４１ａにはそれまで液晶表示部４１全体に渡って表示されていた情報が欠落することなく表示される。すなわち液晶表示部４１全体に渡って表示画面を表示しているときに比べて焼く半分の電力消費で々情報表示し続けることができることになる。この際、縮小表示をしていることを表すフラグをＲＡＭ２３の所定の記憶領域にセットしておく。その後Ｓ１２に移って、第一表示媒体４１ａのバックライトをＯＦＦする処理を行う。これにより、バックライト分の消費電力も節約できるようになる。これらの処理により、図８（Ｂ）の表示に切り替わる。
【００６０】
なお、第一制御部２８ａおよび第二制御部２８ｂは、走査対象としている表示メモリの値が全て０であるとき、あるいはほとんど０であるときに、第一表示媒体４１ａあるいは第二表示媒体４１ｂ全体への電力供給を遮断するように構成されていてもよい。このようにすることで、第一表示媒体４１ａ、第二表示媒体４１ｂが消費する待機電力についても電力消費を軽減することができる。特に、色を表示しないドットに対応するマトリクススイッチとマトリクススイッチ側と反対側の基板全体に等価な電圧をかける構成の際に有効である。
【００６１】
また、ＣＰＵ２１がＳ９の処理において、第一制御部２８ａあるいは第二制御部２８ｂへの電源供給を遮断するように構成されていると、さらに待機電力分の電力消費が軽減される。この場合、第一制御部２８ａ、第二制御部２８ｂそれぞれへの電力供給が遮断されたら、第一表示媒体４１ａあるいは第二表示媒体４１ｂへの電力供給が遮断される回路構成となっていてもよい。
【００６２】
Ｓ９で図７（Ａ）の表示がされている場合、第一表示媒体４１ａおよび第二表示媒体４１ｂの画像を両方とも縮小して、第一表示媒体４１ａに縮小表示する。そして第二表示媒体４１ｂの電圧印加を抑制し、縮小表示をしていることを表すフラグをセットする。その後Ｓ１２に移って、第一表示媒体４１ａのバックライトをＯＦＦする処理を行う。これらの処理により、図８（Ａ）の表示に切り替わる。
【００６３】
一方、Ｓ１１では、１画面の表示と、１／２画面の電圧印加を抑制する処理が行われる。すなわち、図７（Ｃ）の表示がされている場合、表示がされている第一表示媒体４１ａの縮小表示はせず、そのまま表示を続ける。そして、表示がされていない第二表示媒体４１ｂの電圧印加を抑制する。その後、Ｓ１２に移ってバックライトのＯＦＦ処理を行う。この結果、図８（Ｃ）の表示に切り替わる。
【００６４】
また、Ｓ７でＮｏ（省電力モードの設定が設定メモリにされていない）の場合はＳ１２に移り、第一表示媒体４１ａと第二表示媒体４１ｂの双方のバックライトをＯＦＦする。その結果、図９の表示になる。
【００６５】
Ｓ１３ではキー入力がされるまで待機し、キー入力がされた時はＳ１４に移ってバックライトをＯＮにする。例えば図８（Ａ）〜図８（Ｃ）のように、第二表示媒体４１ｂに何も表示がされていない時は、第二表示媒体４１ｂのバックライトをＯＦＦのままにし、第一表示媒体４１ａのみバックライトをＯＮにする。この結果、図１３（Ａ）〜図１３（Ｃ）の表示になる。また、図９のように第一表示媒体４１ａと第二表示媒体４１ｂの両方に表示がされている場合は、両方ともバックライトをＯＮにする。この結果、図１４の表示になる。なお、図１３（Ａ），図１３（Ｂ），図１４の表示例では、待機中にＦＡＸ等の受信があったため、日時表示の替わりに着信表示がされている。
【００６６】
次に図１２のフローチャートを用いて、Ｓ４のキー入力処理について説明する。まずＳ１５では、１／２表示のフラグがセットされているか否かを判断する。このフラグは上記Ｓ９でセットしたもので、例えば図１３（Ａ），図１３（Ｃ）のように、縮小表示がされている場合はＹｅｓとなる。また、図１３（Ｂ）で、伝言の表示が隠されている場合はＹｅｓとなる。
【００６７】
Ｓ１５でＹｅｓの場合はＳ１６に移り、Ｎｏの場合はＳ１７に移る。Ｓ１６では、１／２画面の電源をＯＮにし、画面半分の表示及びフラグクリアが行われる。例えば図１３（Ａ）の表示がされている場合は第二表示媒体４１ｂのバックライトがＯＮになり、縮小表示５０が拡大され、第一表示媒体４１ａおよび第二表示媒体４１ｂにそれぞれ表示がされる。この結果、図１５（Ａ）の表示になる。
【００６８】
Ｓ１６で、図１３（Ｂ）の表示がされている場合は、第二表示媒体４１ｂのバックライトがＯＮになり、伝言表示が現れる。その結果、図１５（Ｂ）の表示になる。また、図１３（Ｃ）の表示がされている場合は、第二表示媒体４１ｂのバックライトがＯＮになり、縮小表示５１を拡大して、液晶表示部４１の全面を使って拡大情報を表示する。この結果、図１５（Ｃ）の表示になる。
【００６９】
その後、Ｓ１７に移る。このＳ１７では、画面表示メニューのキー入力がされたか否かを判断する。例えば片側表示からワイド表示に切り替えるキー入力や、左右の画面を切り替えるキー入力がされた場合、その入力操作に応じて処理を行う。例えば、図１５（Ｂ）の表示がされている時にワイド表示に切り替える操作がされた場合、図１６（Ａ）の表示になる。また、図１５（Ｂ）の表示がされている時に左右を切り替える操作がされた場合、図１６（Ｂ）の表示になる。なお、Ｓ１９では、コピーやＦＡＸなどのキー入力に対応した処理が行われる。
【００７０】
以上説明したように本発明は、横長の液晶表示部４１を備え、第一表示媒体４１ａと第二表示媒体４１ｂにそれぞれ異なる情報を表示したり、画面全体を使って１つの情報を表示したりできる。そして、所定の待機時間が経過するまでキー入力がされない場合（Ｓ３）、省電力モードに移り、縮小画面の表示を行う（Ｓ９）。第一表示媒体４１ａと第二表示媒体４１ｂにそれぞれ異なる情報が表示されている場合（図７（Ａ））は、両方の情報の縮小表示を第一表示媒体４１ａに表示する。また、液晶表示画面４１の全ての表示領域に１つの情報が表示されている場合（図７（Ｂ））は、その１つの情報を縮小して第一表示媒体４１ａに表示する。そして、第二表示媒体４１ｂの電圧印加を抑制する。このように、１つの表示画面の一部分の電源供給を止め、残りの部分で表示を行うため、省電力モードに移った時にユーザは別の画面（省電力用の専用画面）を見る必要がない。
【図面の簡単な説明】
【００７１】
【図１】本発明に係る印刷装置の外観構成を示す斜視図。
【図２】印刷装置の原稿カバーが開けられた状態を示す斜視図。
【図３】印刷装置のブロック図の例。
【図４】操作パネルの部分平面図。
【図５】ＲＯＭに記憶されているプログラムの例。
【図６】液晶表示部の待機時の状態。
【図７】通常表示モードの例。
【図８】省電力モードの例。
【図９】縮小表示をせずにバックライトをＯＦＦした場合の表示例。
【図１０】印刷装置の動作を説明するためのフローチャート。
【図１１】省電力モードの処理を表すフローチャート。
【図１２】キー入力の処理を表すフローチャート。
【図１３】Ｓ１３でキー入力をした場合の表示例。
【図１４】Ｓ１３でキー入力をした場合の、別の表示例。
【図１５】キー入力処理Ｓ４での表示例。
【図１６】Ｓ１８での処理例。
【符号の説明】
【００７２】
１  複合機
２２ａ  電力制御プログラム
２２ｂ  判断プログラム
２２ｃ  縮小表示プログラム
４１  液晶表示部
４１ａ  第一表示領域
４１ｂ  第二表示領域
５０  （異なる情報の）縮小情報
５１  （１つの情報の）縮小情報
【図１】
2007253571.tif 000003
【図２】
2007253571.tif 000004
【図３】
2007253571.tif 000005
【図４】
2007253571.tif 000006
【図５】
2007253571.tif 000007
【図６】
2007253571.tif 000008
【図７】
2007253571.tif 000009
【図８】
2007253571.tif 000010
【図９】
2007253571.tif 000011
【図１０】
2007253571.tif 000012
【図１１】
2007253571.tif 000013
【図１２】
2007253571.tif 000014
【図１３】
2007253571.tif 000015
【図１４】
2007253571.tif 000016
【図１５】
2007253571.tif 000017
【図１６】
2007253571.tif 000018